(57)【要約】      （修正有）【課題】利用者の利便性を確保しながら、確実にエレベータの乗りかごおよびつり合いおもりを冠水から退避するエレベータの運転装置を提供する。【解決手段】エレベータの運転装置は、冠水センサ５ａ〜５ｄが備えられるとともに所定の地域内の一団として管理されているエレベータ４の運転を制御するエレベータの運転装置において、該地域内の一団として管理されている他のエレベータ４に備えられている冠水センサ５ａ〜５ｄの少なくとも１つから冠水検知信号が発報されていることを意味する信号が入力されたとき、当該エレベータ４の利用者に待避勧告および運転休止予告を通報する。【選択図】図１
2006193280.tif 000002
【特許請求の範囲】
【請求項１】
冠水センサが備えられるとともに所定の地域内の一団として管理されているエレベータの運転を制御するエレベータの運転装置において、
該地域内の一団として管理されている他のエレベータに備えられている冠水センサの少なくとも１つから冠水検知信号が発報されていることを意味する信号が入力されたとき、当該エレベータの利用者に待避勧告および運転休止予告を通報することを特徴とするエレベータの運転装置。
【請求項２】
該エレベータの運転装置が運転を制御するエレベータに備えられている冠水センサが冠水検知信号を発報したとき、該エレベータに備えられたポンプを作動して排水することを特徴とする請求項１に記載するエレベータの運転装置。
【発明の詳細な説明】
【技術分野】
【０００１】
この発明は、建物への浸水によるエレベータの乗りかごおよびつり合いおもりが冠水することを防止するエレベータの運転装置に関する。
【背景技術】
【０００２】
従来、エレベータの乗りかごおよびつり合いおもりが冠水することを防止するエレベータの運転装置は、所定の地域内の建物を電話回線を介して遠隔的に監視する監視センタに備えられている、複数の建物で共用し、その内の少なくとも１つに冠水が発生する恐れのあることが確認されたとき、退避指令および退避運転開始時刻を出力する指令出力手段と、所定の地域に含まれ、それぞれエレベータが設置されている複数の建物に備えられている、退避指令および退避運転開始時刻を記憶する記憶部および退避運転開始時刻になるとエレベータの乗りかごおよびつり合いおもりが冠水しない位置まで運転させるとともに、乗りかごおよびつり合いおもりの冠水する位置への運行を禁止する避難信号を出力する信号出力手段と、を備えている（例えば、特許文献１参照）。
【０００３】
【特許文献１】特開平９−４０３１５号公報
【発明の開示】
【発明が解決しようとする課題】
【０００４】
しかし、建物周辺がまだ冠水の危険がない状況であっても、監視センタからの退避指令により、退避運転開始時刻が到来すると退避運転が始まるので、退避運転が早過ぎたり、エレベータが突然運転を休止したりするという問題がある。
また、複数の建物で共用し、且つ冠水センサが設けられていない建物において、監視センタからの退避指令が送られていない時点で建物が冠水したとき、エレベータを退避する前に乗りかごまたはつり合いおもりが冠水してしまうという問題がある。
【０００５】
この発明の目的は、利用者の利便性を確保しながら、確実にエレベータの乗りかごおよびつり合いおもりを冠水から退避するエレベータの運転装置を提供することである。
【課題を解決するための手段】
【０００６】
この発明に係わるエレベータの運転装置は、冠水センサが備えられるとともに所定の地域内の一団として管理されているエレベータの運転を制御するエレベータの運転装置において、該地域内の一団として管理されている他のエレベータに備えられている冠水センサの少なくとも１つから冠水検知信号が発報されていることを意味する信号が入力されたとき、当該エレベータの利用者に待避勧告および運転休止予告を通報する。
【発明の効果】
【０００７】
この発明に係わるエレベータの運転装置の効果は、地域内のすべての建物に冠水センサが備えられており、地域内の任意のエレベータ以外のエレベータに備えられている冠水センサの少なくとも１つから冠水検知信号が発報されているとき、この任意のエレベータの利用者に待避勧告および運転休止予告が通報されるので、この任意のエレベータの利用者は、待避勧告および運転休止予告の通報が行われた後に待避運転が行われることになるので、突然エレベータの運転が休止されることがない。
【発明を実施するための最良の形態】
【０００８】
実施の形態１．
図１は、この発明の実施の形態１に係わるエレベータの運転装置が適用されるエレベータの様子を示す図である。図２は、実施の形態１に係わるエレベータの運転装置の機能ブロック図である。
この発明に係わるエレベータの運転装置１ａ〜１ｄは、図１に示すように、所定の地域２内の一団として管理されている建物３ａ〜３ｄに備えられているエレベータ４の運転を制御する。そして、エレベータ４が備えられている地域２内にあるすべての建物３ａ〜３ｄにエレベータの運転装置１ａ〜１ｄと冠水センサ５ａ〜５ｄとが備えられている。
なお、以下の説明においては、地域２内に４棟の建物３ａ〜３ｄがあり、それぞれの建物３ａ〜３ｄにエレベータの運転装置１ａ〜１ｄが備えられている例について説明するが、建物の棟数は、４棟に限定されるものではない。地域２の区切り方は、水の流れなどを考慮して適宜決めることができる。
また、以下の説明においては、建物３ａのエレベータの運転装置１ａを当該のものとして説明していく。
【０００９】
次に、冠水センサ５ａ〜５ｄからの冠水検知信号の流れについて説明する。
冠水センサ５ａ〜５ｄは、２本の計装回線８ａ、８ｂが接続されている。一方の計装回線８ａは、管理センタ６に備えられている管理装置７に接続されており、他方の計装回線８ｂは、各建物３ａ〜３ｄに備えられているエレベータの運転装置１ａ〜１ｄに接続されている。
そして、管理装置７に一旦集められた冠水検知信号は、地域２内の一団として管理されている建物３ａ〜３ｄに備えられている冠水センサ５ａ〜５ｄのうち少なくとも１つから冠水検知信号が発報されたとき、冠水センサ５ａ〜５ｄの少なくとも１つから冠水検知信号が発報されていることを意味する域内冠水信号が地域２内に備えられているすべてのエレベータの運転装置１ａ〜１ｄに通信回線９を介して送信される。
【００１０】
エレベータの運転装置１ａは、図２に示すように、冠水センサ５ａからの冠水検知信号を受信して当該建物３ａが冠水したと判定する冠水検知受信部１１、管理装置７からの域内冠水信号を受信して地域２内の建物３ａ〜３ｄのいずれかが冠水したと判定する域内信号受信部１２、当該建物３ａが冠水していると判定されたときにエレベータ４の運転を制御する自己冠水制御部１４、当該建物３ａが冠水しておらず、域内に冠水している建物３ｂ〜３ｄがあると判定されたときにエレベータ４の運転を制御する域内冠水制御部１５を有している。エレベータの運転装置１ａは、ＣＰＵ、ＲＡＭ、ＲＯＭ、インタフェース回路から構成されているコンピュータである。
【００１１】
冠水検知受信部１１は、冠水センサ５ａから計装回線８ｂを経由して冠水検知信号が送られてきたとき、当該建物３ａが冠水していると判定する。
域内信号受信部１２は、管理装置７から通信回線９を経由して域内冠水信号が送られてきたとき、地域２内の建物３ａ〜３ｄが冠水していると判定する。
自己冠水制御部１４は、当該建物３ａが冠水していると判定されたとき、エレベータ４の図示しない乗りかごと図示しないつり合いおもりとを待避位置に待避するように図示しない駆動機構に待避指令を出力する。駆動機構は、この待避指令に従って乗りかごとつり合いおもりとを待避位置に待避させる。
域内冠水制御部１５は、域内の当該建物３ａ以外の建物３ｂ〜３ｄのいずれかで冠水していると判定されたとき、利用者に冠水の危険があるので速やかな待避を勧告し、さらに運転休止する可能性があることを図示しないスピーカから待避勧告および運転休止予告として通報する。待避勧告および運転休止予告として、例えば、『ただいま、大雨洪水警報が発せられております。現在、当建物では冠水に至っておりませんが、今後冠水の恐れがありますので速やかに安全な場所に待避されるようにお願いします。尚、冠水になった場合、エレベータを運転休止致しますので、予めご了承願います』と通報する。なお、図示しない乗りかご内の表示器や乗場の表示器に同様な内容の待避勧告および運転休止予告を表示してもよい。
【００１２】
管理センタ６の管理装置７は、地域２内の一団として管理され、エレベータ４が備えられたすべての建物３ａ〜３ｄに設置されている冠水センサ５ａ〜５ｄからの冠水検知信号を集約し、冠水センサ５ａ〜５ｄの少なくとも１つから冠水検知信号が入力されたとき、域内冠水信号を地域２内のすべてのエレベータの運転装置１ａ〜１ｄに送信する。
【００１３】
次に、実施の形態１に係わるエレベータの運転装置１ａにおける、冠水に対応する手順について図３を参照して説明する。図３は、実施の形態１に係わるエレベータの運転装置での建物の冠水に対応した動作の手順を示すフローチャートである。なお、当該建物は、建物３ａ、当該冠水センサは、冠水センサ５ａとして説明を行う。
ステップ（以下、Ｓと略称する。）１０１では、域内信号受信部１２は、管理装置７からの域内冠水信号の入力の有無を判断する。域内冠水信号の入力があるとき、Ｓ１０２へ進む。域内冠水信号の入力がないとき、Ｓ１０１を繰り返す。
Ｓ１０２では、冠水検知受信部１１は、当該建物３ａに備えられている冠水センサ５ａからの冠水検知信号の入力の有無を判断する。当該建物３ａからの冠水検知信号の入力があるとき、Ｓ１０３へ進み、冠水検知信号の入力がないとき、Ｓ１０８へ進む。
Ｓ１０３では、自己冠水制御部１４は、当該建物３ａのエレベータ４の駆動機構に待避指令を発し、それに応答して駆動機構は、乗りかごとつり合いおもりとの待避運転を開始する。
Ｓ１０４では、自己冠水制御部１４は、待避運転が完了して乗りかごとつり合いおもりとが待避位置に位置しているか否かを判断し、待避運転が完了したらＳ１０５へ進み、待避運転が未了のとき、Ｓ１０４を繰り返す。
Ｓ１０５では、自己冠水制御部１４は、当該建物３ａのエレベータ４の運転を休止する。
Ｓ１０６では、冠水検知受信部１１は、当該建物３ａに備えられている冠水センサ５ａからの冠水検知信号の入力の有無を判断し、冠水検知信号の入力があるとき、Ｓ１０５へ戻り、冠水検知信号の入力がないとき、Ｓ１０７へ進む。
Ｓ１０７では、自己冠水制御部１４は、運転休止を解除して通常運転に戻す。
Ｓ１０８では、域内冠水制御部１５は、当該建物３ａのエレベータ４を待避勧告および運転休止予告を通報しながら、通常運転する。
Ｓ１０９では、域内信号受信部１２は、管理装置７からの域内冠水信号の入力の有無を判断する。域内冠水信号の入力があるとき、Ｓ１１１へ進む。域内冠水信号の入力がないとき、Ｓ１１０へ進む。
Ｓ１１０では、域内冠水制御部１５は、待避勧告および運転休止予告の通報を中止して平常運転に復帰する。
Ｓ１１１では、冠水検知受信部１１は、当該建物３ａに備えられている冠水センサ５ａからの冠水検知信号の入力の有無を判断する。冠水検知信号の入力があるとき、Ｓ１０３へ進み、冠水検知信号の入力がないとき、Ｓ１０８へ戻る。
【００１４】
このようなエレベータの運転装置１は、地域２内のすべての建物３ａ〜３ｄに冠水センサ５ａ〜５ｄが備えられており、地域２内の少なくとも１つの冠水センサ５から冠水検知信号が発報されているとき、冠水検知信号が発報されている建物３のエレベータ４に待避指令が発せられるとともに、冠水検知信号が発報されている冠水センサ５が設置されている建物３以外の建物３のエレベータ４で待避勧告および運転休止予告が通報されるので、冠水検知信号が発報されている建物３以外の建物３のエレベータ４に関して待避勧告および運転休止予告の通報が行われた後に待避運転が行われ、突然運転が休止されることがない。
【００１５】
また、待避勧告および運転休止予告が表示または音声で通報されるので、利用者はエレベータを安心して利用することができる。
【００１６】
実施の形態２．
図４は、この発明の実施の形態２に係わるエレベータの運転装置が適用されるエレベータの様子を示す図である。図５は、実施の形態２に係わるエレベータの運転装置の機能ブロック図である。
実施の形態２に係わる建物３ａ〜３ｄには、図４に示すように、図示しない昇降路のピットに溜まった水を排水するポンプ２０が実施の形態１に係わる建物３ａ〜３ｄに追加されており、これ以外は同様である。
また、実施の形態２に係わるエレベータの運転装置１Ｂａ〜１Ｂｄは、図５に示すように、当該建物３ａ〜３ｄが冠水していると判定されたとき、排水処理を行う排水処理部２２が実施の形態１に係わるエレベータの運転装置１ａ〜１ｄに追加されており、その他は同様であるので、同様な部分の説明は省略する。
【００１７】
次に、実施の形態２に係わるエレベータの運転装置１Ｂａにおける、冠水に対応する手順について図６を参照して説明する。図６は、実施の形態２に係わるエレベータの運転装置１Ｂａでの建物の冠水に対応した動作の手順を示すフローチャートである。
図６のＳ２０１〜Ｓ２０３は、それぞれ図３のＳ１０１〜Ｓ１０３と同様である。また、図６のＳ２０７〜Ｓ２１４は、それぞれ図３のＳ１０４〜Ｓ１１１と同様である。
Ｓ２０４では、排水処理部２２は、当該建物３ａが冠水していると判定されたとき、排水ポンプ２０を作動し、ピットを冠水している水を排水する。
Ｓ２０５では、排水処理部２２は、当該建物３ａに備えられている冠水センサ５ａからの冠水検知信号の入力の有無を判断し、冠水検知信号の入力があるとき、Ｓ２０５を繰り返し、冠水検知信号の入力がないとき、Ｓ２０６へ進む。
Ｓ２０６では、排水処理部２２は、排水ポンプ２０を停止する。
【００１８】
このようなエレベータの運転装置は、排水ポンプを作動して建物に溜まった水を排水して冠水を早期に解消することができるので、早期に平常運転に復帰することができ、利用者への不便さを更に低減することができる。
【図面の簡単な説明】
【００１９】
【図１】この発明の実施の形態１に係わるエレベータの運転装置が適用されるエレベータの様子を示す図である。
【図２】実施の形態１に係わるエレベータの運転装置の機能ブロック図である。
【図３】実施の形態１に係わるエレベータの運転装置での建物の冠水に対応した動作の手順を示すフローチャートである。
【図４】この発明の実施の形態２に係わるエレベータの運転装置が適用されるエレベータの様子を示す図である。
【図５】実施の形態２に係わるエレベータの運転装置の機能ブロック図である。
【図６】実施の形態２に係わるエレベータの運転装置での建物の冠水に対応した動作の手順を示すフローチャートである。
【符号の説明】
【００２０】
１ａ〜１ｄ、１Ｂａ〜１Ｂｄ  運転装置、２  地域、３ａ〜３ｄ  建物、４  エレベータ、５ａ〜５ｄ  冠水センサ、６  管理センタ、７  管理装置、８ａ、８ｂ  計装回線、９  通信回線、１１  冠水検知受信部、１２  域内信号受信部、１４  自己冠水制御部、１５  域内冠水制御部、２０  排水ポンプ、２２  排水処理部。
【図１】
2006193280.tif 000003
【図２】
2006193280.tif 000004
【図３】
2006193280.tif 000005
【図４】
2006193280.tif 000006
【図５】
2006193280.tif 000007
【図６】
2006193280.tif 000008